(57)【要約】  乗物の窓（２７、３７）に使用するための日除け（１０、２０、３０、４０）を開示する。日除け（１０、２０、３０、４０）は、閉ループ形状を有する剛性フレーム（１１）と、該剛性フレーム（１１）に固定される柔軟素材のパネル（１２）とを備える。パネル（１２）は日射しに対して望ましい不透過度を有し、剛性フレーム（１１）の内側に広がる。日除け（１０、２０、３０、４０）はさらに、パネル（１２）が窓（２７、３７）の少なくとも一部を遮光するように、剛性フレーム（１１）を乗物の内面に固定するための手段（１、４、１６、２４、２６、３４ａ、３４ｂ、３６、５０）を備える。
2006528576.tif 000002
【特許請求の範囲】
【請求項１】
乗物の窓のための日除けであって、
閉ループ形状を有する剛性フレームと、
日射しに対して望ましい不透過度を有し、前記剛性フレームの内側に広がり、前記剛性フレームに固定される柔軟素材のパネルと、
前記パネルが前記窓の少なくとも一部を遮光するように前記剛性フレームを前記乗物の内側に固定するための手段と、
を備える日除け。
【請求項２】
前記日除けは、乗物の特定の型やモデルにおける特定の窓の形状および寸法と適合する形状および寸法でもって形成される、
請求項１の日除け。
【請求項３】
前記窓全体を遮光するように、前記日除けが前記窓の形状および寸法と同一の形状および寸法でもって形成される、
請求項２の日除け。
【請求項４】
前記剛性フレームは、使用者により意図的に加えられる圧力に応じて弾性的に変形することができる、
請求項１乃至３のいずれか１項の日除け。
【請求項５】
前記剛性フレームは、特定の長さのワイヤで形成される、
請求項１乃至４のいずれか１項の日除け。
【請求項６】
前記柔軟素材のパネルは、緊張状態で前記剛性フレームに固定される、
請求項１乃至５のいずれか１項の日除け。
【請求項７】
前記柔軟素材のパネルは結合部材によって前記剛性フレームに固定され、前記結合部材は前記剛性フレームの縁の周囲に広がるテープから成り、前記テープは前記パネルの周辺部に取り付けられ、前記フレームを取り囲む管状部を形成し前記パネルを緊張状態に保持する、
請求項６の日除け。
【請求項８】
前記柔軟素材は織物である、
請求項１乃至７のいずれか１項の日除け。
【請求項９】
前記日除けは、前記乗物の内面と前記日除けの前記剛性フレーム両方に係合する１つ以上の固定用要素を含み、前記日除けを前記窓に相対的に固定した配置に保持する、
請求項１乃至８のいずれか１項の日除け。
【請求項１０】
前記日除けは、前記日除けのそれぞれ反対側の縁に配置される２つの固定用要素を含む、
請求項９の日除け。
【請求項１１】
それぞれの固定用要素は平面形状のラグの形態を有し、前記窓の周辺部と窓枠の隣接する表面と任意の密閉材料との間に形成される退避部の適所に係合する構造を有する、
請求項１０の日除け。
【請求項１２】
それぞれの固定用要素は窓枠に取り付けられる留め具であり、前記留め具は、前記日除けの前記剛性フレームに係合しかつ結合される構造を有する、
請求項９の日除け。
【請求項１３】
乗物の窓用の日除けを製造する方法であって、
（ａ）閉ループ形状を有する剛性フレームを形成する段階と、
（ｂ）日射しに対して望ましい不透過度を有する、柔軟素材のパネルを形成する段階と、
（ｃ）前記パネルが前記剛性フレームの内側に広がるように前記パネルを前記剛性フレームに固定する段階と、
（ｄ）前記パネルが前記窓の少なくとも一部を遮光するように前記剛性フレームを前記乗物の内面に固定する手段を提供する段階と、
を備える、方法。
【請求項１４】
前記剛性フレームおよび／または前記柔軟素材のパネルが、計算機数値制御により動作する機械を用いて形成される、
請求項１３の方法。
【請求項１５】
前記剛性フレームおよび前記柔軟素材のパネルが一旦形成されると、前記柔軟素材のパネルは、前記剛性フレームに固定される前に、一時的に緊張状態で前記剛性フレームに貼り付けられる、
請求項１３または請求項１４の方法。
【請求項１６】
前記柔軟素材のパネルは、両面接着テープを用いて前記剛性フレームに一時的に貼り付けられる、
請求項１５の方法。
【請求項１７】
日除けが窓の少なくとも一部を遮光するように前記日除けを乗物の内面に固定する方法であって、
（ａ）閉ループ形状を有する剛性フレームと、前記剛性フレームに固定され日射しに対し望ましい不透過度を有し前記フレームの内側に広がる柔軟素材のパネルと、前記剛性フレームのそれぞれ反対側の縁に配置され前記窓の周辺でそれぞれ第一および第二の退避部に係合する構造を有する第一および第二のラグと、を備える日除けを提供する段階と、
（ｂ）前記第一のラグを前記第一の退避部に係合する段階と、
（ｃ）前記第二のラグが前記第二の退避部に係合できるように前記剛性フレームを平常の状態から変形した状態へと変形する段階と、
（ｄ）前記第二のラグを前記第二の退避部に係合する段階と、
（ｅ）前記日除けを前記乗物の内面に固定するために前記剛性フレームを変形した状態から平常の状態へと再変形する段階と、
を備える、方法。
【請求項１８】
前記第一および第二のラグは平面形状を有し、前記第一および第二の退避部は、前記窓の周辺部と前記窓枠の隣接する表面と任意の密閉材との間に形成される退避部の適所である、
請求項１７の方法。
【請求項１９】
前記日除けはフィンガーグリップを含み、前記フィンガーグリップは、前記フレームの変形を容易にするために、前記第二のラグに隣接する前記剛性フレームか、前記第二のラグ自身のどちらかに取り付けられる、
請求項１７または１８の方法。
【請求項２０】
請求項１乃至１２のいずれか一項の日除けを備える、乗物。
【発明の詳細な説明】
【技術分野】
【０００１】
本発明は日除けに関し、特に乗物の窓に入射する日光を吸収あるいは反射するための日除けに関する。
【背景技術】
【０００２】
晴天の日には、乗物の内側の温度は不快な水準に、時には危険な水準にまで上昇することがある。夏期の何ヶ月間かの日射は非常に激しいことがあり、日射は乗物の窓を透過して乗物の内側の空気を、平衡温度に到達するまで熱する。乗物の内側の空気は主に乗物内に閉じ込められており、したがって乗物の周囲の大気への熱移動は少ないので、平衡温度は非常に高いものとなる可能性がある。乗物の内側のこのような高温は、大人にとっては非常に不快であるばかりでなく潜在的に危険であり、ペットや小さな子供にとっては生命の危険さえある。
【０００３】
晴天の日の乗物の内側の平衡温度を減少させる一つの方法は、乗物の窓に入射する日光を吸収または反射するために、日除けを使用することである。乗物の内部に到達する日射が少なければ少ないほど、乗物の内部では平衡温度はより低くなる。日除けは乗員、特に年齢の低い子供を単に直射日光から遮るためにも使用される。
【０００４】
従来、日除けは、完全に不透性または半透性の織物パネルと、該織物パネルが窓を部分的にまたは完全に遮光するように該織物パネルを乗物の内面に固定する手段とから成る。従来の日除けに対しては、様々な異なる種類の固定手段が使われている。このような固定手段の一つの種類としては、織物パネルの各隅に吸引パッドを使用して該パネルを窓の内面に固定するものがある。乗物のための日除けの別の形態は、例えば、窓枠の上側の縁に固定されるロールブラインド機構を含む。
【０００５】
しかしながら、乗物のための従来の日除けは多くの問題に苦しめられている。特に、従来の日除けはしばしば扱いにくく、窓の少なくとも一部を遮光するために窓を覆うよう位置を定めて、それから乗物の内面に固定するのには時間がかかる。これに加え、従来の日除けの多くは、各々が標準的な形状および寸法を持つような限られた種類の形状においてのみ利用できるものであり、数多くの乗物の型やモデルにおいてある種の窓に使用するのには適さない。さらに、日除けが窓全体を塞ぐのでない場合には、乗員を日光から遮るのには効果的でないであろう。例えば、日除けは旅行の開始に先立ち、効果的に日蔭をつくるような位置に定められるかもしれない。しかし、乗物の進行方向が変われば、日光の入射角は変わるだろう。これにより日除けの位置を繰り返し調整することが余儀なくされるが、これは明らかに望ましくなく不便である。
【発明の開示】
【発明が解決しようとする課題】
【０００６】
これまで、上記の問題および／あるいは従来技術に関連する他の問題を解決または実質的に軽減する、改良された日除け、日除けを製造する際の改良された方法、および日除けを乗物に固定する際の改良された方法が考案されてきた。
【課題を解決するための手段】
【０００７】
本発明の第一の態様によると、乗物の窓のための日除けであって、閉ループ形状を有する剛性フレームと、日射しに対して望ましい不透過度を有し該剛性フレームの内側に広がり該剛性フレームに固定される柔軟素材のパネルと、該パネルが該窓の少なくとも一部を遮光するように該剛性フレームを該乗物の内側に固定するための手段と、を備える日除けが提供される。
【０００８】
本発明のさらなる態様によれば、乗物の窓用の日除けを製造する方法であって、（ａ）閉ループ形状を有する剛性フレームを形成する段階と、（ｂ）日射しに対して望ましい不透過度を有する柔軟素材のパネルを形成する段階と、（ｃ）該パネルが該剛性フレームの内側に広がるように該パネルを該剛性フレームに固定する段階と、（ｄ）該パネルが該窓の少なくとも一部を遮光するように該剛性フレームを該乗物の内面に固定する手段を提供する段階と、を備える方法が提供される。
【０００９】
本発明による日除けは第一に、日除けの剛性フレームが使用の際に日除けの形状を維持するので、それによって日除けが窓を覆う位置が容易に定まり、日除けが乗物の内面に容易に固定され、窓の少なくとも一部を遮光する。さらに、剛性フレーム自身が乗物の内面に固定されるという日除けの特性は、剛性フレームではなく柔らかいパネルが乗物の内面に固定される従来の日除けよりも確実に固定できる構成を提供する。日除けは、特定の乗物の型やモデルの特定の窓の形状および寸法と正確に適合する形状および寸法でもって製造してもよく、これにより使用者は変則的な形の窓を日射から十分に遮ることができる。最後に、日除けを窓の寸法および形に適合させることを必要とする改良された固定手段が、本発明による日除けに対して用いられてもよい。
【００１０】
剛性フレームの形状、したがって日除けそれ自身の形状は、略平面形状であることが好ましい。日除けは、特定の乗物の型やモデルにおける特定の窓の形状および寸法と適合する形状および寸法でもって形成されるのが最も好ましい。このように、使用者は日除けの使用を意図する特定の窓に適合するように形成されたものを購入することができる。「適合する」とは、日除けの使用を考えている窓の形状および寸法を考慮することによって、日除けの形状および寸法が選択されるということを意味する。日除けの実際の形と寸法は、使用される固定手段の種類や、使用者が遮光したいと望む窓の割合等、他の要因にも依る。例えば日除けを、窓全体を遮光するよう該窓の形状および寸法と同一の形状および寸法でもって形成してもよい。
【００１１】
「剛性」フレームとは、重力や使用者による通常の取り扱いによって該フレームに作用する応力や歪みの下でも、該フレームが形状を維持できるということを意味する。しかし、剛性フレームは、使用者によって意図的に加えられる力に応じて弾性的に変形できることが好ましい。
【００１２】
剛性フレームはワイヤフレームであることが好ましく、特定の長さのワイヤを、端部を突き合わせ溶接によって溶接し、閉ループ形状に形成するのが好ましい。フレームは、軟鋼等の金属で形成するのが好ましい。フレームの金属ワイヤは直径が２ｍｍから６ｍｍの範囲にあることが好ましく、３ｍｍから５ｍｍの範囲内、例えばおよそ４ｍｍであるのが最も好ましい。
【００１３】
好ましくは、柔軟素材のパネルは、緊張状態で剛性フレームに固定される。柔軟素材のパネルは結合部材（binding）によって前記剛性フレームに固定されるのが好ましく、該結合部材は、好ましくは織物テープから成り、該テープは該剛性フレームの縁の周囲に延びる。テープは、最も好ましくは縫合によって、フレームを取り囲み該パネルを緊張状態に保持する管状部を形成するように、パネルの周辺部に取り付けられる。
【００１４】
柔軟素材のパネルの望ましい不透過度は、例えば、柔軟素材の種類や厚さ、および／またはパネルに含まれる穴の数を適切に選択することによって達成される。例えば、柔軟素材は日射をほぼ完全に遮蔽するものでもよいが、パネルは、並んで配置される一連の穴を含んでもよい。柔軟素材は、織物であるのが最適である。
【００１５】
日除けは、パネルが窓の少なくとも一部を遮光するよう剛性フレームを乗物の内面に固定するための、様々な手段を含んでもよい。しかし、日除けを窓に対して相対的に固定した配置に保持するために、該日除けは、乗物の内面と該日除けの剛性フレームの両方に係合する１つ以上の固定用部品を含むのが好ましい。日除けが、該日除けのそれぞれ反対側の縁に配置される２つの固定用部品を含むのが最も好ましい。固定用部品は金属あるいはプラスチック材料で形成してもよい。固定用部品が金属で形成される場合には、該固定用部品は安全のためプラスチック材料で被覆されるのが好ましい。
【００１６】
日除けは少なくとも２つの固定用部品を含むのが最も好ましく、該固定用部品はラグ（lug：突出部）の形態を有しており、剛性フレームのそれぞれ反対側の縁に配置され、該ラグはそれぞれ窓の周囲の退避部に係合する構造を有する。ラグはそれぞれ平面形状を有しており、窓の周辺部と窓枠の隣接する表面と任意の密閉材料との間に形成される退避部の適所に係合する構造を有しているのが好ましい。ラグが剛性フレームから外側に延び、日除けの面に平行な面と同じ方向を向くのが最も好ましい。代わりに、固定用部品は窓枠に取り付けられる複数の留め具を備えてもよく、該複数の留め具は、好ましくはスナップ嵌合構造によって、日除けの剛性フレームに係合し、固定される構造を有している。
【００１７】
本発明による日除けは、主に乗物が使用される際に使われることを意図している。この理由により、日除けが主に乗物の、通常一対もしくは二対の後部側面窓および後部窓を含む、複数の後部窓に使用されることを意図している。日除けは、特定の乗物の型やモデルにおける特定の窓の形状および寸法と適合する形状および寸法でもって形成されるのが好ましいので、該日除けは、特定の乗物の型やモデルの後部窓すべてに使用するよう意図された一組の日除けの一部として提供されるのが好ましい。後部窓を塞ぐためには、大きな寸法をもつ単一の日除けよりもむしろ、一対の日除けが提供されるのが好ましく、便利である。
【００１８】
好ましくは、剛性フレームおよび／もしくは柔軟素材のパネルは計算機数値制御による機械加工によって形成され、該計算機数値制御はマイクロプロセッサの手段により達成されるのが好ましい。計算機数値制御により、上記のように、日除けの使用を意図している窓の形状および寸法に適合する形状および寸法でもって、該日除けを正確に製造することが可能になる。剛性フレームの形状および寸法、および／または特定の形状および寸法の窓に使用するよう意図される日除けの柔軟材料のパネルの形状および寸法を計算するためには、マイクロプロセッサを使用するのが最適である。
【００１９】
剛性フレームおよび該柔軟素材のパネルが一旦形成されたら、該柔軟素材のパネルは、該剛性フレームに永久的に固定される前に、上記のように緊張状態で該剛性フレームに一時的に貼り付けられるのが好ましい。柔軟素材のパネルは、両面接着テープを用いて該剛性フレームに一時的に貼り付けられる。接着テープはまず、剛性フレームの周囲に貼られ、その後パネルの位置を、該パネルの縁を該接着テープと係合させつつ、フレーム上に定めるのが好ましい。そして上記のように、テープをフレームに取り囲むように取り付け、かつ、パネルに縫い付けることにより、パネルをフレームに永久的に固定することができる。
【００２０】
本発明のさらなる態様によれば、日除けが窓の少なくとも一部を遮光するように該日除けを乗物の内面に固定する方法であって、（ａ）閉ループ形状を有する剛性フレームと、該剛性フレームに固定され、日射しに対し望ましい不透過度を有し該フレームの内側に広がる柔軟素材のパネルと、該剛性フレームのそれぞれ反対側の縁に配置され、該窓の周辺でそれぞれ第一および第二の退避部に係合する構造を有する第一および第二のラグとを備える日除けを提供する段階と、（ｂ）該第一のラグを該第一の退避部に係合する段階と、（ｃ）該第二のラグが該第二の退避部に係合できるように該剛性フレームを平常の状態から変形した状態へと変形する段階と、（ｄ）該第二のラグを該第二の退避部に係合する段階と、（ｅ）該日除けを該乗物の内面に固定するために該剛性フレームを変形した状態から平常の状態へと再変形する段階と、を備える方法が提供される。
【００２１】
第一および第二のラグは平面形状を有しているのが好ましい。この場合第一および第二の退避部は、窓の周辺部と窓枠の隣接する表面と任意の密閉材との間に形成される退避部の適所であるのが好ましい。第一および第二のラグが剛性フレームより外側に延び、該第一および第二のラグが日除けの面に平行な面と同じ方向を向くのが最も好ましい。
【００２２】
日除けは、使用者がフレームを変形するのを容易にするために、第二のラグに隣接する剛性フレームまたは該第二のラグ自身のどちらかに取り付けられるフィンガーグリップを含むのが好ましい。フィンガーグリップが第二のラグに隣接する剛性フレームに取り付けられる場合には、該フィンガーグリップは織物のループ（輪）であるのが好ましい。
【００２３】
最後に、本発明のさらなる態様によれば、上記の日除けが取付けられた乗物が提供される。
【発明を実施するための最良の形態】
【００２４】
本発明は今、説明としてのみ、添付される図面を参照してより詳細に説明される。図１および図２は、本発明による、一般に１０に示されるような日除けを示す。日除け１０はワイヤフレーム１１、該ワイヤフレーム１１の内側全体に広がる織物パネル１２、および該織物パネル１２を該ワイヤフレーム１１に固定する織物の結合部材（binding）１３を備える。図２に、織物パネル１２および織物の結合部材１３を、明確にするために厚さを拡大してそれぞれ示す。
【００２５】
ワイヤフレーム１１は、重力や使用者による通常の取り扱いによって該フレーム１１に作用する応力や歪みの下でも形状が維持されるように、該ワイヤフレーム１１用の十分な剛性を有する材料で形成される。しかし以下に述べるように、ワイヤフレーム１１は、乗物の内面に該ワイヤフレーム１１を固定する際に使用者が意図的に加える力に応じて、弾性的に変形できるのが好ましい。特に、ワイヤフレーム１１は直径がおよそ４ｍｍの亜鉛メッキが施された軟鋼で形成される。日除け１０の製造の際、ワイヤは計算機数値制御による機械加工によって平面状の閉ループ形状に形成され、該形状の形および寸法は、特定の乗物の型やモデルの特定の窓のそれらと適合し、該ワイヤの端部は互いに突き合わせ溶接により溶接されてワイヤフレーム１１を形成する。
【００２６】
織物パネル１２は黒色のポリエステルの半透明メッシュから成り、防火塗装が施されている。織物パネル１２は、計算機数値制御による切断によって、ワイヤフレーム１１の形状および寸法と同じような形状および寸法でもって形成される。製造の際は、一旦ワイヤフレーム１１および織物パネル１２が形成されると、織物パネル１２の周囲の縁は、織物パネル１２が緊張状態で両面粘着テープを用いてワイヤフレーム１１に一時的に貼り付けられる。粘着テープは最初にワイヤフレーム１１の周囲に貼られ、それから織物パネル１２は、該織物パネルの縁が粘着テープにより適切に保持されるようにフレーム１１の上に置かれる。
【００２７】
織物の結合部材１３は、織物材料による長方形の細片から成る。粘着テープによって織物パネル１２がワイヤフレーム１１に一時的に貼り付けられるとともに、織物の結合部材１３はワイヤフレーム１１に沿って縦に置かれ、その後該ワイヤフレーム１１を包み、その結果織物の結合部材１３は織物パネル１２の周辺部の両側に位置するようになる。それから織物の結合部材１３は織物パネル１２の周辺部に縫い付けられ、該織物パネル１２が緊張状態で、該織物の結合部材１３によってワイヤフレーム１１に固定される。織物の結合部材１３は、日除け１０の寿命を通して織物パネル１２を緊張状態に保つために、十分な耐久性および強靭性を有するべきである。
【００２８】
本発明による日除け１０はさらに、織物パネル１２が窓の少なくとも一部を遮るようにワイヤフレーム１１を乗物の内面に固定するための手段を備える。図1および図２に示される日除け１０の固定手段は、第一の固定用留め具１４、フィンガーグリップ１５、および第二の固定用留め具１６を備える。第一および第二の留め具１４、１６は、ワイヤフレーム１１のそれぞれ反対側の縁に配置される。ワイヤフレーム１１の形状が概して横長の場合は、図１および図２の日除け１０に関する限りでは、留め具１４および１６はワイヤフレーム１１の両端において、短い方の縁に配置されるのが好ましい。留め具１４および１６はプラスチック被覆が施されたばね鋼で形成される。図6に見られるように、留め具１４および１６はそれぞれ、ワイヤフレーム１１およびそれを取り囲む織物の結合部材１３にスナップ嵌合構造により係合する留め部と、ワイヤフレーム１１から外側に突出し、日除け１０の面に略平行な面と同じ方向を向く、平面状の延長部とを備える。フィンガーグリップ１５は、第二の留め具１６に隣接する織物の結合部材１３に縫い付けられるループ状材料である。
【００２９】
図３および図４は、窓の少なくとも一部を遮るように、日除けを乗物の内面に固定する方法をそれぞれ示す。図３はこのような方法のうち、乗物の側面窓２７を塞ぐのに、図１および図２に示される日除け１０に類似した日除け２０を使用する方法を示す。図３の日除け２０は、図３に示される側面窓２７の形状および寸法と同一の形状および寸法でもって製造されたものであり、これにより日除け２０が側面窓２７全体を塞ぐことができる。
【００３０】
日除け２０は、側面窓２７全体を遮光するための正しい方向に、該窓２７全体に施される。この場合、日除け２０は、窓枠２９の直立した縁にそれぞれ隣接する第一および第二の留め具２４、２６によって水平方向に向けられる。そして第一の留め具２４の延長部は、窓２７と窓枠２９の内面に形成されるゴム製密閉材２８（図５に示される）との間に形成される周辺退避部の適所に挿入され、該箇所に完全に係合する。それから使用者は、フィンガーグリップ２５を第一の留め具２４に向けて、隣接する窓枠２９の直立した縁から離れるように引っ張ることにより日除け２０を変形し、第二の留め具２６が周辺退避部の適所に挿入されるまで十分変形する。その後、第二の留め具２６を周辺退避部の適所に挿入し、該第二の留め具２６が周辺退避部に完全に係合するまでは，フィンガーグリップ２５をゆっくり放す。日除け２０のワイヤフレームの剛性が第一および第二の留め具２４、２６の延長部を周辺退避部に保持することにより、日除け２０が乗物の内面に固定され、側面窓２７全体が日射から遮られる。図５は周辺退避部に係合する、第二の留め具２６の拡大図を示す。
【００３１】
日除け２０を側面窓２７から取り外すには、使用者は第二の留め具が周辺退避部から取り外されるよう日除け２０が十分変形されるまで、フィンガーグリップ２５を第一の留め具２４に向けて、隣接する周辺退避部から離れるように引っ張る。そして第二の留め具２６を、窓２７および周辺退避部から離れるように動かし、該第二の留め具２６が周辺退避部から外れた状態で、フィンガーグリップ２５をゆっくり放す。最後に、第一の留め具２４も周辺退避部から取り外す。
【００３２】
図４は、一般に３０および４０で示されるような一組の日除けを、後部窓３７を遮光するように乗物の内面に固定する方法を示す。図４の日除け３０および４０は、次の点を除いて、図１、図２、および図３の日除け１０および２０と類似のものである。すなわち、日除け３０および４０はそれぞれ、該日除け３０および４０の隣接する縁に配置される第一の留め具３４ａ、第二の留め具３４ｂ、および第三の留め具３６を有し、かつ対向する後部窓３７を半分ずつ遮光する構造を有している。
【００３３】
図４に示される日除け３０および４０はそれぞれ、図３の日除け２０と同じようにして乗物の内面に固定される。しかし、日除け３０が後部窓３７全体に施される場合には、第一の留め具３４ａは窓枠３９の上方の縁に隣接し、第二の留め具３４ｂは窓枠３９の直立した縁に隣接し、第三の留め具３６は窓枠３９の下方の縁に隣接する。そして第一および第二の留め具３４ａ、３４ｂの延長部は、窓３７の内面と窓枠３９の内面に形成されるゴム製密閉材との間に形成される周辺退避部の適所に挿入される。その後、使用者が、フィンガーグリップ３５を上方に、隣接する窓枠３９の下方の縁から離れるように引っ張ることにより、第三の留め具３６が周辺退避部の適所に挿入されるよう日除け３０が十分変形されるまで、日除け３０を変形する。それから第三の留め具３６を周辺退避部の適所に挿入し、該第三の留め具３６が周辺退避部に完全に係合するまでは、フィンガーグリップ３５をゆっくり放す。日除け３０のワイヤフレームが剛性を有することによって第一、第二、および第三の留め具３４ａ、３４ｂ、３６の延長部が周辺退避部に保持され、それにより日除け３０を乗物の内面に固定し、後部窓３７の片方の半分を塞ぐ。そしてもう一方の日除け４０に対してもこの方法を繰り返し、後部窓３７のもう一方の半分を塞ぐ。
【００３４】
最後に図７および８を参照すると、上記の日除け１０、２０、３０等の本発明による日除けに使用するための、固定用留め具５０の別の形態が示される。別の固定用留め具５０は第一および第二の、協同して作用する部品から成り、該部品は互いに係合して固定用留め具５０を形成する前に、プラスチック材料より別個に形成される。
【００３５】
別の固定用留め具５０の第一の部品は、日除けと係合するための留め部材５１、および固定用留め具５０の第二の部品と係合するための取り付け部５２を備える。留め部材５１は一定のＣ字型断面を有しており、該Ｃ字型断面は開口部および溝を定め、留め部材５１はスナップ嵌合構造により、日除けのフレームワイヤおよびそれを取り囲む織物の結合部材を該開口部および溝の中に収容する。取り付け部５２は留め具５１の形態に類似し、該取り付け部５２は開口部および溝を定めるＣ字型断面を有する部材から成る。図８に最も明確に示されるように、留め部材５１および取り付け部５２は互いに背中合わせになるように配置され、互いに相対的に垂直な方向を向く。
【００３６】
別の固定用留め具５０の第二の部品は、支持部および延長部を有する略長方形かつ平面状の基部５５と、該基部５５の支持部の上面から上方に延びる（図７および図８に示される）円筒形の支柱５６と、該支柱５６の先端に配置される略円形のハンドル５７とを備える。
【００３７】
基部５５の延長部は支持部および支柱５６から延びており、該基部５５の延長部がテーパ形状を有するように上面が傾斜している。延長部は使用の際に、窓の内面と窓枠の内面に形成されるゴム製密閉材との間に形成される周辺退避部の適所に係合する構造を有する。
【００３８】
第二の部品の取り付け部５２はスナップ嵌合構造によって第一の部品の支柱５６と係合し、別の固定用留め具５０を形成する。
【００３９】
別の固定用留め具５０は、日除け１０、２０、３０の上記固定用留め具１４、１６、２４、２６、３４ａ、３４ｂ、３６と同じように使用される。しかしながら別の固定用留め具５０のハンドルは、使用の際に使用者が掴むことが可能であり、ワイヤフレームが容易に変形され、かつ／あるいは延長部が周辺退避部内へ容易に配置される。
【図面の簡単な説明】
【００４０】
【図１】本発明による日除けの正面図である。
【図２】図１のII−II線に沿った、日除けの断面図である。
【図３】側面窓の少なくとも一部を遮光するように日除けを乗物の内面に固定する方法を示す、概略図である。
【図４】後部窓の少なくとも一部を遮光するように日除けを乗物の内面に固定する方法を示す、概略図である。
【図５】窓の少なくとも一部を遮光するように乗物の内面に固定される、本発明による日除けの部分拡大斜視図である。
【図６】図1の日除けに使用される固定用留め具の側面図である。
【図７】本発明による日除けに使用するための、別の形態の固定用留め具の斜視図である。
【図８】図7の固定用留め具の分解図である。
【図１】
2006528576.tif 000003
【図２】
2006528576.tif 000004
【図３】
2006528576.tif 000005
【図４】
2006528576.tif 000006
【図５】
2006528576.tif 000007
【図６】
2006528576.tif 000008
【図７】
2006528576.tif 000009
【図８】
2006528576.tif 000010
【国際調査報告】
2006528576.tif 000011
2006528576.tif 000012
2006528576.tif 000013